(57)【要約】      （修正有）【課題】照明ユニット及びそれを用いるディスプレイ装置を提供する。【解決手段】第１及び第２のリフレクタと、第１のリフレクタと第２のリフレクタとの間に配置された少なくとも一つの光源モジュールと、を備え、第２のリフレクタは、底板と、底板の第１の方向に向かい合って配置された第１の側板と、第１の方向に垂直な第２の方向に向かい合って配置された第２の側板と、第２の側板及び底板の少なくとも一方に形成された溝と、溝内に形成された少なくとも一つの孔と、を有することができる。【選択図】図１
2013122919.tif 000002
【特許請求の範囲】
【請求項１】
第１及び第２のリフレクタと、
前記第１のリフレクタと第２のリフレクタとの間に配置された少なくとも一つの光源モジュールと、
を備え、
前記第２のリフレクタは、
底板と、
前記底板の第１の方向に向かい合って配置された第１の側板と、
前記第１の方向に垂直な第２の方向に向かい合って配置された第２の側板と、
前記第２の側板及び底板の少なくとも一方に形成された溝と、
前記溝内に形成された少なくとも一つの孔と、を有する、照明ユニット。
【請求項２】
前記光源モジュールは、前記第２のリフレクタの第１の側板の上部に配置され、光源と外部との電気的接続のための少なくとも一つのコネクタを有し、第２の側板の溝に隣接して配置される、請求項１に記載の照明ユニット。
【請求項３】
前記溝は、前記光源よりも前記コネクタに近接して配置される、請求項２に記載の照明ユニット。
【請求項４】
前記第２のリフレクタの底板の下部に配置されて前記光源モジュールを駆動する少なくとも一つの駆動部と、
前記溝及び前記孔に沿って配置され、前記光源モジュールと前記駆動部とを電気的に接続させる少なくとも一つの配線と、
をさらに備える、請求項１乃至３のいずれか１項に記載の照明ユニット。
【請求項５】
前記溝は、幅と深さとが異なっている、請求項１乃至３のいずれか１項に記載の照明ユニット。
【請求項６】
前記溝の幅が前記溝の深さよりも小さい、請求項５に記載の照明ユニット。
【請求項７】
前記溝の幅と前記孔の幅とが互いに異なっている、請求項１乃至３のいずれか１項に記載の照明ユニット。
【請求項８】
前記溝の幅が前記孔の幅よりも大きい、請求項７に記載の照明ユニット。
【請求項９】
前記溝の幅と前記孔の幅とが同一である、請求項１乃至３のいずれか１項に記載の照明ユニット。
【請求項１０】
前記溝は、互いに向かい合っている第１及び第２の側面と、前記第１及び第２の側面の間に位置している底面と、を有し、
前記第１の側面と底面間の第１の角度、及び前記第２の側面と底面間の第２の角度の少なくとも一方が直角である、請求項１乃至３のいずれか１項に記載の照明ユニット。
【請求項１１】
前記溝は、互いに向かい合っている第１及び第２の側面と、前記第１及び第２の側面の間に位置している底面と、を有し、
前記第１の側面と底面間の第１の角度、及び前記第２の側面と底面間の第２の角度の少なくとも一方が鋭角である、請求項１乃至３のいずれか１項に記載の照明ユニット。
【請求項１２】
前記溝は、互いに向かい合っている第１及び第２の側面と、前記第１及び第２の側面の間に位置している底面と、を有し、
前記第１の側面と底面間の第１の角度は直角であり、且つ前記第２の側面と底面間の第２の角度は鋭角である、または、前記第１の側面と底面間の第１の角度は鋭角であり、且つ前記第２の側面と底面間の第２の角度は直角である、請求項１乃至３のいずれか１項に記載の照明ユニット。
【請求項１３】
前記溝は、互いに向かい合っている第１及び第２の側面と、前記第１及び第２の側面の間に位置している底面と、を有し、
前記第１の側面と第２の側面の少なくとも一方は、曲率を有する曲面である、請求項１乃至３のいずれか１項に記載の照明ユニット。
【請求項１４】
前記溝は、互いに向かい合っている第１及び第２の側面と、前記第１及び第２の側面の間に位置している底面と、を有し、
前記第１の側面は、第１の曲率を有する曲面であり、前記第２の側面は、第２の曲率を有する曲面である、請求項１乃至３のいずれか１項に記載の照明ユニット。
【請求項１５】
前記第２のリフレクタの底板が少なくとも一つの傾斜面を有する、請求項１に記載の照明ユニット。
【請求項１６】
前記傾斜面は少なくとも一つの変曲点を有し、該変曲点を中心に隣接する傾斜面の曲率は互いに異なっている、請求項１５に記載の照明ユニット。
【請求項１７】
前記光源モジュールは、前記第１のリフレクタから第１の距離だけ離れており、前記第２のリフレクタから第２の距離だけ離れている、請求項１に記載の照明ユニット。
【請求項１８】
前記第１の距離と第２の距離とが異なっている、請求項１７に記載の照明ユニット。
【請求項１９】
前記光源モジュールは、前記第１及び第２のリフレクタの少なくとも一方に接している、請求項１に記載の照明ユニット。
【請求項２０】
前記第１のリフレクタは、前記光源モジュールに隣接した領域の厚さと、前記光源モジュールから遠い領域の厚さとが異なっている、請求項１に記載の照明ユニット。
【請求項２１】
前記第１のリフレクタは、前記光源モジュールに面する表面上に反射パターンを有している、請求項１に記載の照明ユニット。
【請求項２２】
前記第１のリフレクタは、前記第２のリフレクタと異なる材質で形成される、請求項１に記載の照明ユニット。
【請求項２３】
請求項１乃至２２のいずれか一項に記載の照明ユニットを用いるディスプレイ装置。
【発明の詳細な説明】
【技術分野】
【０００１】
実施例は、照明ユニット及びそれを用いたディスプレイ装置に関する。
【背景技術】
【０００２】
一般に、ダウンライト（Ｄｏｗｎｌｉｇｈｔ；天井埋め込み灯）は、天井に穴を開け、その中に光源を埋め込む照明方式のもので、照明と建物を一体化させる建築照明技法として広く用いられている。
【０００３】
このようなダウンライトは、天井に埋め込まれることから、照明器具が殆ど露出されず、天井面がすっきりになるメリットかあり、さらには、天井面が暗くなる特徴から、おしゃれな室内空間の演出に適した方式として知られている。
【０００４】
しかしながら、このような照明ユニット構造は、広い室内空間よりは狭い室内空間に適合しているため、多数のＬＥＤ光源を必要とする場合もある。
【０００５】
そこで、少ない数のＬＥＤ光源でも広い室内空間をカバーできる照明ユニットの開発が望まれている。
【発明の概要】
【発明が解決しようとする課題】
【０００６】
実施例は、一部の傾斜面を有するリフレクタを用いて広い室内空間に適合するようにした照明ユニット及びそれを用いたディスプレイ装置を提供する。
【課題を解決するための手段】
【０００７】
実施例は、第１及び第２のリフレクタと、第１のリフレクタと第２のリフレクタとの間に配置された少なくとも一つの光源モジュールと、を備え、第２のリフレクタは、底板（ｂｏｔｔｏｍ  ｐｌａｔｅ）と、底板の第１の方向に向かい合って配置された第１の側板（ｌａｔｅｒａｌ  ｐｌａｔｅ）と、第１の方向に垂直な第２の方向に向かい合って配置された第２の側板と、第２の側板及び底板の少なくとも一方に形成された溝と、溝内に形成された少なくとも一つの孔と、を有することができる。
【０００８】
ここで、光源モジュールは、第２のリフレクタの第１の側板の上部に配置され、外部との電気的接続のための少なくとも一つのコネクタを有することができる。
【０００９】
ここで、溝はコネクタに近接して配置されるとよい。
【００１０】
また、実施例は、第２のリフレクタの底板の下部に配置され、光源モジュールを駆動する少なくとも一つの駆動部と、溝及び孔に沿って配置され、光源モジュールと駆動部とを電気的に接続させる少なくとも一つの配線と、をさらに備えることができる。
【００１１】
そして、溝は、幅と深さとが異なっていてもよく、溝の幅が溝の深さよりも小さいとよい。
【００１２】
また、溝の幅と孔の幅とが異なっていてもよく、溝の幅は孔の幅よりも大きいとよい。
【００１３】
また、溝の幅と孔の幅とが同一であってもよい。
【００１４】
また、溝は、互いに向かい合っている第１及び第２の側面と、第１及び第２の側面の間に位置している底面と、を有し、第１の側面と底面間の第１の角度、及び第２の側面と底面間の第２の角度は、鋭角でよい。
【００１５】
ここで、第１の角度と第２の角度とが互いに異なっていてもよく、第１の角度は直角であり、且つ第２の角度は鋭角でもよく、または、第１の角度は鋭角であり、且つ第２の角度は直角でもよい。
【００１６】
そして、第１の側面は、第１の曲率を有する曲面であり、第２の側面は、第２の曲率を有する曲面であり、第１の曲率と第２の曲率とが異なっていてもよい。
【００１７】
また、第２のリフレクタの底面は、少なくとも一つの傾斜面を有することができる。
【００１８】
ここで、傾斜面は少なくとも一つの変曲点を有し、変曲点を中心に隣接する傾斜面の曲率は、互いに異なっていてもよい。
【００１９】
また、光源モジュールは、第１のリフレクタから第１の距離だけ離れており、第２のリフレクタから第２の距離だけ離れていてもよく、第１の距離と第２の距離とが異なっていてもよい。
【００２０】
そして、光源モジュールは、第１及び第２のリフレクタの少なくとも一方に接していてもよい。
【００２１】
また、第１のリフレクタは、光源モジュールに隣接した領域の厚さと、光源モジュールから遠い領域の厚さとが異なっていてもよく、第１のリフレクタは、光源モジュールに面する表面上に反射パターンを有することができる。
【００２２】
また、第１のリフレクタは、第２のリフレクタと異なる材質で形成されてもよい。
【００２３】
また、実施例は、底板と、底板の第１の方向に向かい合って配置された第１の側板と、第１の方向に垂直な第２の方向に向かい合って配置された第２の側板と、第２の側板及び底板の少なくとも一方に形成された溝と、溝内に形成された少なくとも一つの孔と、を備え、第１の側板に、コネクタを有する光源モジュールが配置され、第２の側板の溝と前記コネクタの一部とが重なって配置されるとよい。
【発明の効果】
【００２４】
実施例は、導光板を使用せず、一部の傾斜面を有するエアーガイド用のリフレクタ及び溝を形成することによって、軽量、低作製コスト、及び均一な輝度を提供することができる。したがって、照明ユニットの経済性及び信頼性が向上するとともに、広い室内空間に適合する。
【図面の簡単な説明】
【００２５】
下記の図面を参照して実施例について詳細に説明する。ただし、図面中、同一の構成要素には同一の参照符号を付する。
【図１】実施例に係る照明ユニットを説明するための斜視図である。
【図２】溝の位置を示す第１の実施例である。
【図３Ａ】第１の実施例に係る光源モジュールと駆動部の電気的接続を示す図である。
【図３Ｂ】第１の実施例に係る光源モジュールと駆動部の電気的接続を示す図である。
【図４】図３ＡのＩＩ−ＩＩ線に沿う断面図である。
【図５Ａ】図３ＡのＩＩＩＩ−ＩＩＩＩ線に沿う断面図である。
【図５Ｂ】図３ＡのＩＩＩＩ−ＩＩＩＩ線に沿う断面図である。
【図６Ａ】溝の形状を示す断面図である。
【図６Ｂ】溝の形状を示す断面図である。
【図６Ｃ】溝の形状を示す断面図である。
【図６Ｄ】溝の形状を示す断面図である。
【図７】溝の位置を示す第２の実施例である。
【図８】溝の位置を示す第２の実施例である。
【図９】溝の位置を示す第３の実施例である。
【図１０】溝の位置を示す第３の実施例である。
【図１１】第２のリフレクタの傾斜面を示す第１の実施例である。
【図１２Ａ】光源モジュールと第１、第２のリフレクタとの配置関係を説明するための図である。
【図１２Ｂ】光源モジュールと第１、第２のリフレクタとの配置関係を説明するための図である。
【図１２Ｃ】光源モジュールと第１、第２のリフレクタとの配置関係を説明するための図である。
【図１３Ａ】第２のリフレクタの第１の領域と第１のリフレクタの幅とを比較した図である。
【図１３Ｂ】第２のリフレクタの第１の領域と第１のリフレクタの幅とを比較した図である。
【図１４Ａ】第２のリフレクタの傾斜面を示す図である。
【図１４Ｂ】第２のリフレクタの傾斜面を示す図である。
【図１４Ｃ】第２のリフレクタの傾斜面を示す図である。
【図１４Ｄ】第２のリフレクタの傾斜面を示す図である。
【図１５】第２のリフレクタの傾斜面を示す第２の実施例である。
【図１６Ａ】図１５の第４の領域を示す図である。
【図１６Ｂ】図１５の第４の領域を示す図である。
【図１６Ｃ】図１５の第４の領域を示す図である。
【図１７Ａ】傾斜面を有する第１のリフレクタを示す図である。
【図１７Ｂ】傾斜面を有する第１のリフレクタを示す図である。
【図１７Ｃ】傾斜面を有する第１のリフレクタを示す図である。
【図１７Ｄ】傾斜面を有する第１のリフレクタを示す図である。
【図１８Ａ】反射パターンを有する第１のリフレクタを示す図である。
【図１８Ｂ】反射パターンを有する第１のリフレクタを示す図である。
【図１８Ｃ】反射パターンを有する第１のリフレクタを示す図である。
【図１８Ｄ】反射パターンを有する第１のリフレクタを示す図である。
【図１９】光学部材が配置された照明ユニットを示す断面図である。
【図２０】図１９の光学部材を示す断面図である。
【図２１】実施例に係る照明ユニットを有するディスプレイモジュールを示す図である。
【図２２】実施例に係るディスプレイ装置を示す図である。
【図２３】実施例に係るディスプレイ装置を示す図である。
【発明を実施するための形態】
【００２６】
以下、添付の図面を参照して実施例を説明する。
【００２７】
本実施例の説明において、ある構成要素の「上（上部）」または「下（下部）」に他の構成要素が形成されるという記載は、これらの両構成要素が互いに直接接触して形成される場合も、これら両構成要素の間に一つ以上のさらに他の構成要素が介在して形成される場合も含むことができる。
【００２８】
また、「上（上部）」または「下（下部）」と表現された場合は、一つの構成要素を基準に上方を指す場合もあり、下方を指す場合もある。
【００２９】
図１は、実施例に係る照明ユニットを説明するための斜視図である。
【００３０】
図１に示すように、照明ユニットは、第１のリフレクタ（ｒｅｆｌｅｃｔｏｒ）２００、第２のリフレクタ３００、及び第１のリフレクタ２００と第２のリフレクタ３００との間に配置される少なくとも一つの光源モジュール１００を備えることができる。
【００３１】
ここで、光源モジュール１００は、第１のリフレクタ２００と第２のリフレクタ３００との間に配置され、かつ第１のリフレクタ２００に隣接して配置される構成とすることができる。
【００３２】
場合によって、光源モジュール１００は、第１のリフレクタ２００に接するとともに、第２のリフレクタ３００から一定の間隔を置いて配置されてもよく、第２のリフレクタ３００に接するとともに、第１のリフレクタ２００から一定の間隔を置いて配置されてもよい。
【００３３】
または、光源モジュール１００は、第１のリフレクタ２００及び第２のリフレクタ３００の両方から一定の間隔を置いて配置されてもよく、第１のリフレクタ２００及び第２のリフレクタ３００の両方に接して配置されてもよい。
【００３４】
そして、光源モジュール１００は、電極パターンを有する基板１００ｂ、基板１００ｂ上に配置される少なくとも一つの光源１００ａ、及び外部との電気的接続のための少なくとも一つのコネクタ１００ｃを備えることができる。
【００３５】
ここで、光源モジュール１００における光源１００ａは、上面発光型（ｔｏｐ  ｖｉｅｗ  ｔｙｐｅ）の発光ダイオードでよい。
【００３６】
場合によって、光源１００ａは、側面発光型（ｓｉｄｅ  ｖｉｅｗ  ｔｙｐｅ）の発光ダイオードでもよい。
【００３７】
そして、基板１００ｂは、ポリエチレンテレフタレート（ＰＥＴ）、ガラス、ポリカーボネート（ＰＣ）、シリコン（Ｓｉ）から選ばれるいずれか一物質で構成されたＰＣＢ（Ｐｒｉｎｔｅｄ  Ｃｉｒｃｕｉｔ  Ｂｏａｒｄ）基板でもよく、フィルム形態のものでもよい。
【００３８】
また、基板１００ｂとしては、単層ＰＣＢ、多層ＰＣＢ、セラミック基板、メタルコアＰＣＢなどを選択的に使用することができる。
【００３９】
ここで、基板１００ｂは、反射コーティングフィルム及び反射コーティング物質層のいずれか一方が形成されてもよく、光源１００ａから生成された光をリフレクタ３００の中央領域に反射させることができる。
【００４０】
また、光源１００ａは、発光ダイオードチップ（ＬＥＤチップ）でよく、発光ダイオードチップは、ブルーＬＥＤチップまたは紫外線ＬＥＤチップで構成されてもよく、またはレッドＬＥＤチップ、グリーンＬＥＤチップ、ブルーＬＥＤチップ、イエローグリーンＬＥＤチップ、ホワイトＬＥＤチップの少なくとも一つまたは２以上を組み合わせたパッケージ形態で構成されてもよい。
【００４１】
そして、ホワイトＬＥＤは、ブルーＬＥＤ上にイエロー燐光を結合して具現してもよく、ブルーＬＥＤ上にレッド燐光とグリーン燐光を同時に結合して具現してもよく、ブルーＬＥＤ上にイエロー燐光、レッド燐光及びグリーン燐光を同時に結合して具現してもよい。
【００４２】
また、第１のリフレクタ２００と第２のリフレクタ３００との間の空間にエアーガイドが形成されるように、第１のリフレクタ２００と第２のリフレクタ３００とを一定の間隔を置いて向かい合うように構成することができる。
【００４３】
ここで、第１のリフレクタ２００はオープン領域を有し、光源モジュール１００の一側に接してまたは一定の間隔を開けて配置される。
【００４４】
すなわち、第１のリフレクタ２００は中央領域がオープンされており、光源モジュール１００は、第１のリフレクタ２００の両側端部に向かい合って配置された第１の光源モジュール及び第２の光源モジュールを有することができる。
【００４５】
そして、第１のリフレクタ２００は、反射コーティングフィルム及び反射コーティング物質層のいずれか一つで形成され、光源モジュール１００から生成された光を第２のリフレクタ３００方向に反射させる役割を果たすことができる。
【００４６】
また、第１のリフレクタ２００の表面のうち、光源モジュール１００に面する表面上には鋸歯状の反射パターンが形成され、反射パターンの表面は平面でも曲面でもよい。
【００４７】
このように第１のリフレクタ２００の表面に反射パターンを形成すると、光源モジュール１００から生成された光を第２のリフレクタ３００の中央領域に反射させることによって、照明ユニットの中央領域における輝度を増大させることができる。
【００４８】
また、第２のリフレクタ３００は、底板３１０、及び側板３２０を有することができる。
【００４９】
ここで、側板３２０は、底板３１０の第１の方向（図１のＹ軸方向）に向かい合って配置された第１の側板３２０ａと、第１の方向に垂直な第２の方向（図１のＸ軸方向）に向かい合って配置された第２の側板３２０ｂと、を有することができる。
【００５０】
そして、第１の側板３２０ａの上部には光源モジュール１００及び第１のリフレクタ２００が配置されるように構成することができる。
【００５１】
また、第２の側板３２０ｂは、溝１１０を有することができる。
【００５２】
すなわち、第２の側板３２０ｂの上面３２０ｂ２には、光源モジュール１００のコネクタ１００ｃと駆動部とを電気的に接続させる配線の通路として機能する溝１１０を形成することができる。
【００５３】
ここで、溝１１０中には少なくとも一つの孔を形成することができる。
【００５４】
そのため、光源モジュール１００を駆動する駆動部は、第２のリフレクタ３００の底板３１０の下部に配置され、少なくとも一つの配線は溝１１０及び孔に沿って光源モジュール１００と駆動部とを電気的に接続させることができる。
【００５５】
このような配線接続方式から、光源モジュール１００のコネクタ１００ｃに隣接するように溝１１０を配置することが好ましい。
【００５６】
また、第２の側板３２０ｂは、光学部材と締結される第１の締結部３２２、及びカバー部材と締結される第２の締結部３３４を有することができる。
【００５７】
ここで、第１の締結部３２２は第２の側板３２０ｂの上面３２０ｂ２に配置し、第２の締結部３３４は第２の側板３２０ｂの外側面３２０ｂ３に配置することができる。
【００５８】
ここで、第１の締結部３２２と第２の締結部３３４とを一対一で対応するように配置することができる。
【００５９】
また、第１の締結部３２２は第２の側板３２０ｂの上面３２０ｂ２から上方（図１のＺ方向）に突出し、第２の締結部３３４は第２の側板３２０ｂの外側面３２０ｂ３から第２の方向（図１のＸ軸方向）に突出するように構成することができる。
【００６０】
また、第２の側板３２０ｂの内側面３２０ｂ１及び底板３１０上には、フィルム形態に作製された反射コーティングフィルムが形成されてもよく、反射物質の蒸着された反射コーティング物質層が形成されてもよい。
【００６１】
ここで、第２の側板３２０ｂの内側面３２０ｂ１及び底板３１０上に形成される反射材質は、互いに同じ物質でもよく、場合によっては、異なる物質でもよい。
【００６２】
一方、第２のリフレクタ３００の底板３１０は、光源モジュール１００から一定の間隔を置いて配置され、第１のリフレクタ２００の表面に平行な水平面から一定の角度で傾斜している傾斜面を有することができる。
【００６３】
ここで、第２のリフレクタ３００の底板３１０の傾斜面は、光源モジュール１００から生成された光、または第１のリフレクタ２００から反射された光を、第１のリフレクタ２００のオープン領域へ反射させる役割を果たすことができる。
【００６４】
また、第２のリフレクタ３００の底板３１０は、少なくとも一つの変曲点を有する少なくとも２つの傾斜面を有することができる。
【００６５】
第２のリフレクタ３００の底板３１０において、変曲点を中心に隣接する第１及び第２の傾斜面の曲率は互いに異なっていてもよい。
【００６６】
そして、第１の傾斜面と第２の傾斜面との間の変曲点を、光源モジュール１００に隣接している領域に配置することができる。
【００６７】
これは、光源モジュール１００に隣接している第１の傾斜面の曲率が、第２の傾斜面の曲率よりも大きいためである。
【００６８】
また、第２のリフレクタ３００の底板３１０は、上面にフィルム形態で作製された反射コーティングフィルムが形成されてもよく、反射物質の蒸着された反射コーティング物質層が形成されてもよい。
【００６９】
そのため、第２のリフレクタ３００の底板３１０は、金属及び金属酸化物の少なくとも一つを含んで構成され、例えば、アルミニウム（Ａｌ）、銀（Ａｇ）、金（Ａｇ）または二酸化チタン（ＴｉＯ２）のような高反射率を有する金属または金属酸化物を含むことができる。
【００７０】
この場合、第２のリフレクタ３００の底板３１０は、金属または金属酸化物を上面に蒸着またはコーティングして形成してもよく、金属インキを印刷して形成してもよい。
【００７１】
ここで、蒸着する方法には、熱蒸着法、蒸発法またはスパッタリング法のような真空蒸着法を用いることができ、コーティングまたは印刷する方法には、プリンティング法、グラビアコーティング法またはシルクスクリーン法を用いることができる。
【００７２】
場合によって、第２のリフレクタ３００は、光を正反射する正反射シート及び光を乱反射する乱反射シートの少なくとも一つが形成されてもよい。
【００７３】
そして、第２のリフレクタ３００の底板３１０は、第１、第２の傾斜面に形成される物質が互いに異なっていてもよく、それらの表面粗さが互いに異なっていてもよい。
【００７４】
例えば、第２のリフレクタ３００の底板３１０は、第１、第２の傾斜面が互いに同じ物質で形成され、且つ表面粗さが互いに異なっていてよい。
【００７５】
または、第２のリフレクタ３００の底板３１０は、第１、第２の傾斜面が互いに異なる物質で形成され、且つ表面粗さが互いに異なっていてもよい。
【００７６】
図２は、溝の位置を示す第１の実施例である。
【００７７】
図２に示すように、第２のリフレクタ３００は、底板３１０、及び側板３２０を有することができる。
【００７８】
ここで、側板３２０は、底板３１０の第１の方向（図１のＹ軸方向）に向かい合って配置された第１の側板３２０ａ、及び第１の方向に垂直な第２の方向（図１のＸ軸方向）に向かい合って配置された第２の側板３２０ｂを有することができる。
【００７９】
そして、第１の側板３２０ａの上部には光源モジュール１００及び第１のリフレクタ２００を配置することができる。
【００８０】
ここで、光源モジュール１００は、電極パターンを有する基板１００ｂ、基板１００ｂ上に配置された少なくとも一つの光源１００ａ、及び外部との電気的接続のための少なくとも一つのコネクタ１００ｃを有することができる。
【００８１】
なお、第２の側板３２０ｂは溝１１０を有することができる。
【００８２】
すなわち、第２の側板３２０ｂの上面３２０ｂ２には、光源モジュール１００のコネクタ１００ｃと駆動部とを電気的に接続させる配線の通路として機能する溝１１０を形成することができる。
【００８３】
ここで、溝１１０内には少なくとも一つの孔１１２を形成することができる。
【００８４】
そのため、光源モジュール１００を駆動する駆動部が第２のリフレクタの底板３１０の下部に配置された場合に、光源モジュール１００のコネクタ１００ｃに電気的に接続している配線は、溝１１０及び孔１１２を通って、底板３１０の下部に配置された駆動部に電気的に接続することができる。
【００８５】
また、第１の側板３２０ａには、コネクタ１００ｃを有する光源モジュール１００を配置することができ、この場合、第２の側板３２０ｂにおける溝１１０とコネクタ１００ｃの一部とが重なるようにして配置することができる。
【００８６】
図３Ａ及び図３Ｂは、第１の実施例に係る光源モジュールと駆動部との電気的接続を示す図であり、図３Ａは溝の上部を示し、図３Ｂは溝の下部を示している。
【００８７】
図３Ａに示すように、光源モジュール１００は、電極パターンを有する基板１００ｂ、基板１００ｂ上に配置される少なくとも一つの光源１００ａ、及び外部との電気的接続のための少なくとも一つのコネクタ１００ｃを有することができる。
【００８８】
また、第２の側板３２０ｂの上面３２０ｂ２には、光源モジュール１００のコネクタ１００ｃと駆動部とを電気的に接続させる配線１１４の通路として機能する溝１１０が形成されている。
【００８９】
ここで、溝１１０内には少なくとも一つの孔１１２を形成することができる。
【００９０】
そして、図３Ｂに示すように、光源モジュール１００を駆動する駆動部３７０は第２のリフレクタ３００の底板３１０の下部に配置されており、少なくとも一つの配線１１４は、溝１１０及び孔１１２を通って光源モジュール１００と駆動部３７０とを電気的に接続させることがてきる。
【００９１】
そのため、溝１１０は光源モジュール１００のコネクタ１００ｃに隣接して配置されるとよい。
【００９２】
図４は、図３ＡのＩＩ−ＩＩ線に沿う断面図である。
【００９３】
図４に示すように、第２の側板３２０ｂの上面３２０ｂ２には、光源モジュールのコネクタと駆動部とを電気的に接続させる配線１１４の通路として機能する溝１１０が形成され、該溝１１０は、底面１１０ａ及び側面１１０ｂを有することができる。
【００９４】
ここで、溝１１０の側面１１０ｂは、底面１１０ａに対して垂直な平面でよい。
【００９５】
場合によって、溝１１０の側面１１０ｂは、底面１１０ａに対して傾斜している傾斜面でもよい。
【００９６】
また、溝１１０は、幅ｗ及び深さｄが互いに異なっていてもよい。
【００９７】
例えば、溝１１０は、幅ｗが深さｄよりも小さくてもよい。
【００９８】
場合によって、溝１１０は、幅ｗと深さｄとか同一であってもよい。
【００９９】
そして、溝１１０内には１つの配線１１４が配置されてもよいが、複数の配線１１４が積層して配置されてもよい。
【０１００】
したがって、配線１１４の数に応じて、溝１１０の深さｄを決定してもよい。
【０１０１】
図５Ａ乃至図５Ｂは、図３ＡのＩＩＩＩ−ＩＩＩＩ線に沿う断面図である。
【０１０２】
図５Ａ及び図５Ｂに示すように、第２の側板３２０ｂに、光源モジュールのコネクタと駆動部とを電気的に接続させる配線の通路として機能する溝１１０及び孔１１２を形成することができる。
【０１０３】
ここで、図５Ａに示すように、溝１１０の幅ｗ１と孔１１２の幅ｗ２とは互いに異なっていてもよい。
【０１０４】
例えば、溝１１０の幅ｗ１を孔１１２の幅ｗ２よりも大きい構造にすることができる。
【０１０５】
これは、溝１１０には複数の配線が配置され、それらの一部の配線のみが孔１１２を通過することがあるからである。
【０１０６】
したがって、図５Ａの構造は、溝１１０に配置される複数の配線のうち、一部の配線のみが孔１１２を通過する実施例に適用すればよい。
【０１０７】
場合によって、図５Ｂに示すように、溝１１０の幅ｗ１と孔１１２の幅ｗ２とを同一にしてもよい。
【０１０８】
このように、様々な配線の配置構造に応じて、溝１１０の幅ｗ１及び孔１１２の幅ｗ２の大きさを決定すればいい。
【０１０９】
他の実施例として、一つの溝１１０内に、異なった幅を有する複数の孔１１２を形成することもできる。
【０１１０】
図６Ａ乃至図６Ｄは、溝の形状を示す断面図である。
【０１１１】
図６Ａ及び図６Ｄに示すように、第２の側板３２０ｂには、光源モジュールのコネクタと駆動部とを電気的に接続させる配線の通路として機能する溝１１０が形成されており、該溝１１０は、互いに向かい合う第１の側面１１０ｂ１及び第２の側面１１０ｂ２、及び第１の側面１１０ｂ１と第２の側面１１０ｂ２との間に位置している底面１１０ａを有することができる。
【０１１２】
ここで、図６Ａに示すように、第１の側面１１０ｂ１と底面１１０ａ間の第１の角度θ１、第２の側面１１０ｂ２と底面１１０ａ間の第２の角度θ２は、両方とも鋭角でよい。
【０１１３】
ここで、第１の角度θ１及び第２の角度θ２は、互いに異なっていてもよく、互いに同一であってもよい。
【０１１４】
また、図６Ｂに示すように、第１の角度θ１は直角で、第２の角度θ２は鋭角であってもよく、または、図６Ｃに示すように、第１の角度θ１は鋭角で、第２の角度θ２は直角であってもよい。
【０１１５】
場合によっては、図６Ｄに示すように、第１の側面１１０ｂ１は第１の曲率Ｒ１を有する曲面で、第２の側面１１０ｂ２は第２の曲率Ｒ２を有する曲面であってもよい。
【０１１６】
ここで、第１の曲率Ｒ１及び第２の曲率Ｒ２は互いに異なっていてもよく、同一であってもよい。
【０１１７】
このように溝１１０の下部面を広くし、溝１１０の上部面を狭くすると、溝１１０内に配置される配線が外部に視覚的に露出されず、すっきりした外観を有する照明ユニットを作製できる他、外部の衝撃による配線の損傷も防ぐことができる。
【０１１８】
図７及び図８は、溝の位置を示す第２の実施例であり、図７は溝の上部を示し、図８は溝の下部を示している。
【０１１９】
図２は、光源モジュール１００のコネクタ１００ｃが基板１００ｂの一側に位置している構造において、溝１１０の配置される位置を示す実施例であるが、図７及び図８は、光源モジュール１００のコネクタ１００ｃが基板１００ｂの両側にそれぞれ位置している構造において、溝１１０の配置される位置を示す実施例である。
【０１２０】
図７及び図８に示すように、第２のリフレクタ３００は、底板３１０、及び側板３２０を有することができる。
【０１２１】
ここで、側板３２０は、底板３１０の第１の方向（図１のＹ軸方向）に向かい合って配置された第１の側板３２０ａ、及び第１の方向に垂直な第２の方向（図１のＸ軸方向）に向かい合って配置された第２の側板３２０ｂを有することができる。
【０１２２】
そして、第１の側板３２０ａの上部には光源モジュール１００を配置することができる。
【０１２３】
この光源モジュール１００は、電極パターンを有する基板１００ｂ、基板１００ｂ上に配置される少なくとも一つの光源１００ａ、及び外部との電気的接続のための少なくとも一つのコネクタ１００ｃを有することができる。
【０１２４】
ここで、光源モジュール１００のコネクタ１００ｃは基板１００ｂの両側にそれぞれ配置される構造とすることができる。
【０１２５】
また、第２の側板３２０ｂの上面３２０ｂ２には、光源モジュール１００のコネクタ１００ｃと駆動部とを電気的に接続させる配線の通路として機能する溝１１０を形成することができる。
【０１２６】
ここで、溝１１０内には少なくとも一つの孔１１２を形成することができる。
【０１２７】
そして、図８に示すように、光源モジュール１００を駆動する駆動部３７０は、第２のリフレクタ３００の底板３１０の下部に配置され、少なくとも一つの配線１１４は、溝１１０及び孔１１２を通って光源モジュール１００と駆動部３７０とを電気的に接続させることができる。
【０１２８】
そのため、溝１１０は、光源モジュール１００のコネクタ１００ｃに隣接して配置されるとよい。
【０１２９】
このように光源モジュール１００のコネクタ１００ｃが基板１００ｂの両側にそれぞれ配置されている構造では、互いに向かい合って配置された第２の側板３２０ｂのそれぞれに溝１１０を配置することができる。
【０１３０】
図９及び図１０は、溝の位置を示す第３の実施例であり、図９は溝の上部を示し、図１０は溝の下部を示している。
【０１３１】
図２は、光源モジュール１００のコネクタ１００ｃが基板１００ｂの一側に配置されている構造において、溝１１０の配置される位置を示す実施例であり、図７及び図８は、光源モジュール１００のコネクタ１００ｃが基板１００ｂの両側にそれぞれ配置されている構造において、溝１１０の配置される位置を示す実施例であり、図９及び図１０は、光源モジュール１００のコネクタ１００ｃが基板１００ｂの中央に配置されている構造において、溝１１０の配置される位置を示す実施例である。
【０１３２】
図９及び図１０に示すように、第２のリフレクタ３００は、底板３１０、及び側板３２０を有することができる。
【０１３３】
ここで、側板３２０は、底板３１０の第１の方向（図１のＹ軸方向）に向かい合って配置された第１の側板３２０ａ、及び第１の方向に垂直な第２の方向（図１のＸ軸方向）に向かい合って配置された第２の側板３２０ｂを有することができる。
【０１３４】
そして、第１の側板３２０ａの上部には光源モジュール１００を配置することができる。
【０１３５】
ここで、光源モジュール１００は、電極パターンを有する基板１００ｂ、基板１００ｂ上に配置された少なくとも一つの光源１００ａ、及び外部との電気的接続のための少なくとも一つのコネクタ１００ｃを有することができる。
【０１３６】
ここで、光源モジュール１００は、コネクタ１００ｃが基板１００ｂの中央に配置される構造とすることができる。
【０１３７】
また、光源モジュール１００のコネクタ１００ｃに隣接する底板３１０には、光源モジュール１００のコネクタ１００ｃと駆動部とを電気的に接続させる配線の通路として機能する溝１１０を形成することができる。
【０１３８】
ここで、溝１１０内には少なくとも一つの孔１１２を形成することができる。
【０１３９】
そして、図１０に示すように、光源モジュール１００を駆動する駆動部３７０は、第２のリフレクタ３００の底板３１０の下部に配置され、少なくとも一つの配線１１４は、溝１１０及び孔１１２を通って光源モジュール１００と駆動部３７０とを電気的に接続させることができる。
【０１４０】
そのため、溝１１０は光源モジュール１００のコネクタ１００ｃに隣接して配置されるとよい。
【０１４１】
このように、光源モジュール１００のコネクタ１００ｃが基板１００ｂの中央に配置されている構造では、溝１１０を底板３１０に配置することができる。
【０１４２】
図１１は、第２のリフレクタの傾斜面を示す第１の実施例である。
【０１４３】
図１１に示すように、第１のリフレクタ２００と第２のリフレクタ３００との間には光源モジュール１００が配置されており、第２のリフレクタ３００は少なくとも一つの傾斜面及び少なくとも一つの平面を有することができる。ここで、第２のリフレクタ３００の平面は、光源モジュール１００に隣接して配置され、且つ第１のリフレクタ２００と平行な面でよい。
【０１４４】
そして、第２のリフレクタ３００の傾斜面は少なくとも一つの変曲点を有し、変曲点を中心に隣接する傾斜面の曲率は、互いに異なっていてもよい。
【０１４５】
例えば、第２のリフレクタ３００は、第１、第２、第３の領域を有することができる。
【０１４６】
ここで、第１の領域は、光源モジュール１００及び第１のリフレクタ２００と整列（ａｌｉｇｎ）しており、第１のリフレクタ２００と平行な平面でよい。
【０１４７】
そして、第２の領域は、第１の領域と第３の領域との間に位置しており、且つ第１の領域から下方に傾斜している第１の傾斜面でよく、第３の領域は、第２の領域に隣接しており、且つ第２の領域から上方に傾斜している第２の傾斜面でよい。
【０１４８】
ここで、第２の領域の第１の傾斜面と第３の領域の第２の傾斜面とは、変曲点Ｐを中心に隣接すればよい。
【０１４９】
この場合、第２の領域の第１の傾斜面は、第１の曲率Ｒ１を有する曲面でよく、第３の領域の第２の傾斜面は、第２の曲率Ｒ２を有する曲面でよい。
【０１５０】
そして、第１の曲率Ｒ１及び第２の曲率Ｒ２は互いに異なっていてもよく、第１の曲率Ｒ１が第２の曲率Ｒ２よりも大きいとよい。
【０１５１】
場合によって、第１の曲率Ｒ１及び第２の曲率Ｒ２は互いに同一であってもよい。
【０１５２】
また、第２の領域の第１の傾斜面及び第３の領域の第２の傾斜面の少なくとも一方は、凹んだ曲面または膨らんだ曲面であってもよい。
【０１５３】
場合によって、第２の領域の第１の傾斜面は第１の勾配を有する平面で、第３の領域の第２の傾斜面は第２の勾配を有する平面であってもよい。
【０１５４】
この場合、第１、第２の勾配は互いに異なっていてもよく、第１の勾配が第２の勾配よりも大きいとよい。
【０１５５】
なお、第２のリフレクタ３００の第１の領域は、光を正反射する正反射シートが形成され、第２のリフレクタ３００の第２の領域及び第３の領域は、光を正反射する正反射シートと光を乱反射する乱反射シートの少なくとも一つが形成されてもよい。
【０１５６】
このように第２のリフレクタ３００の第１の領域に正反射シートを形成すると、輝度の弱い第２のリフレクタ３００の中央領域へ光を多く反射させ、均一な輝度を提供することができる。
【０１５７】
そして、第２のリフレクタ３００の第１の領域は、第１のリフレクタ２００と平行な平面であるから、光源モジュールで生成された光を、輝度の弱い第２のリフレクタ３００の中央領域へ多く集中させ、照明ユニットの中央領域における輝度を増大させることができる。
【０１５８】
また、第２のリフレクタ３００は、アルミニウム（Ａｌ）、銀（Ａｇ）、金（Ａｕ）、二酸化チタン（ＴｉＯ２）のような高反射率を有する金属または金属酸化物を含むことができるが、第２のリフレクタ３００は、第１、第２、第３の領域に形成された物質が互いに異なっていてもよく、第１、第２、第３の領域の表面粗さが互いに異なっていてもよい。
【０１５９】
例えば、第２のリフレクタ３００は、第１、第２、第３の領域が互いに同一の物質で形成され、且つ表面粗さは互いに異なっていてもよい。
【０１６０】
または、第２のリフレクタ３００は、第１、第２、第３の領域が互いに異なる物質で形成され、且つ表面粗さが互いに異なっていてもよい。
【０１６１】
図１２Ａ乃至図１２Ｃは、光源モジュールと第１及び第２のリフレクタとの配置関係を説明するための図である。
【０１６２】
図１２Ａは、第１のリフレクタ２００及び第２のリフレクタ３００の両方から一定の間隔を置いて配置された光源モジュール１００を示す図であり、図１２Ｂは、第１のリフレクタ２００に接すると同時に、第２のリフレクタ３００から一定の間隔を置いて配置された光源モジュール１００を示す図であり、図１２Ｃは、第１のリフレクタ２００及び第２のリフレクタ３００の両方に接して配置された光源モジュール１００を示す図である。
【０１６３】
図１２Ａに示すように、光源モジュール１００は、第１のリフレクタ２００から第１の距離ｄ１だけ離れ、第２のリフレクタ３００から第２の距離ｄ２だけ離れて配置される構造とすることができる。
【０１６４】
ここで、第１の距離ｄ１と第２の距離ｄ２は互いに同一であってもよく、互いに異なってもよい。
【０１６５】
一例として、第１の距離ｄ１は第２の距離ｄ２よりも小さいとよい。
【０１６６】
これは、第１の距離ｄ１が第２の距離ｄ２よりも大きいと、ホットスポット（ｈｏｔｓｐｏｔ）現象が生じることがあるからである。
【０１６７】
また、図１２Ｂに示すように、光源モジュール１００は、第１のリフレクタ２００に接触し、第２のリフレクタ３００から距離ｄだけ離れて配置される構造とすることもできる。
【０１６８】
このように光源モジュール１００が第１のリフレクタ２００に接して配置されると、ホットスポットを防止し、光源モジュール１００から遠い領域へ光を送ることができる。
【０１６９】
また、図１２Ｃに示すように、光源モジュール１００が第１のリフレクタ２００及び第２のリフレクタ３００の両方に接して配置される構造とすることもできる。
【０１７０】
このように光源モジュール１００が第１及び第２のリフレクタ２００，３００に接して配置されると、ホットスポットを防止し、光源モジュール１００から遠い領域へ光を送る他、照明ユニットの全体厚さも減らすことができる。
【０１７１】
図１３Ａ及び図１３Ｂは、第２のリフレクタの第１の領域の幅と第１のリフレクタの幅とを比較した図である。
【０１７２】
図１３Ａに示すように、第２のリフレクタ３００の第１の領域は第１のリフレクタ２００と重なり合っており、かつ第２のリフレクタ３００における第１の領域の幅Ｗ２は、第１のリフレクタ２００の幅Ｗ１より小さくてもよい。
【０１７３】
そうすると、第２のリフレクタ３００の第１の領域から反射された光が第１のリフレクタ２００に再び反射されて、輝度の弱い第２のリフレクタ３００の中央領域に集中することができる。
【０１７４】
また、図１３Ｂに示すように、第２のリフレクタ３００の第１の領域は第１のリフレクタ２００と完全に重なり合っており、第２のリフレクタ３００における第１の領域の幅は、第１のリフレクタ２００の幅Ｗ１と同一であってもよい。
【０１７５】
図１４Ａ乃至図１４Ｄは、第２のリフレクタの傾斜面を示す図である。
【０１７６】
図１４Ａに示すように、第２のリフレクタ３００は、第１、第２、第３の領域を有することができ、第１の領域は光源モジュール１００及び第１のリフレクタ２００と整列（ａｌｉｇｎ）しており、第１のリフレクタ２００と平行な平面であればよい。
【０１７７】
そして、第２の領域は、第１の領域と第３の領域との間に位置しており、第１の領域から下方に傾斜した第１の傾斜面でよく、第３の領域は第２の領域に隣接しており、第２の領域から上方に傾斜した第２の傾斜面でよい。
【０１７８】
ここで、第１の傾斜面は第１の曲率を有する曲面で、第２の傾斜面は第２の曲率を有する曲面でよく、第１、第２の曲率は互いに異なっていてもよい。
【０１７９】
場合によって、第１、第２の傾斜面の少なくとも一方は、凹んだ曲面または膨らんだ曲面であってもよい。
【０１８０】
また、図１４Ｂに示すように、第２のリフレクタ３００は、第１、第２、第３の領域を有することができ、第１の領域は、光源モジュール１００及び第１のリフレクタ２００と整列しており、第１のリフレクタ２００と平行な平面であればよい。
【０１８１】
そして、第２の領域は、第１の領域と第３の領域との間に位置しており、第１の領域から下方に傾斜した第１の傾斜面で、第３の領域は、第２の領域に隣接しており、第２の領域から上方に傾斜した第２の傾斜面であってもよい。
【０１８２】
ここで、第１の傾斜面は第１の勾配を有する平面で、第２の傾斜面は第２の勾配を有する平面でよく、第１、第２の勾配は互いに異なっていてもよい。
【０１８３】
また、図１４Ｃに示すように、第２のリフレクタ３００は、第１、第２、第３の領域を有することができ、第１の領域は光源モジュール１００及び第１のリフレクタ２００と整列しており、第１のリフレクタ２００と平行な平面であってもよい。
【０１８４】
そして、第２の領域は、第１の領域と第３の領域との間に位置しており、第１の領域から下方に傾斜した第１の傾斜面で、第３の領域は第２の領域に隣接しており、第２の領域から上方に傾斜した第２の傾斜面でよい。
【０１８５】
ここで、第１の傾斜面は所定の曲率を有する曲面で、第２の傾斜面は所定の勾配を有する平面でもよい。
【０１８６】
また、図１４Ｄに示すように、第２のリフレクタ３００は第１、第２、第３の領域を有することができ、第１の領域は、光源モジュール１００及び第１のリフレクタ２００と整列しており、第１のリフレクタ２００と平行な平面であればよい。
【０１８７】
そして、第２の領域は、第１の領域と第３の領域との間に位置しており、第１の領域から下方に傾斜した第１の傾斜面でよく、第３の領域は、第２の領域に隣接しており、第２の領域から上方に傾斜した第２の傾斜面でよい。
【０１８８】
ここで、第１の傾斜面は所定の勾配を有する平面で、第２の傾斜面は所定の曲率を有する曲面でもよい。
【０１８９】
図１５は、第２のリフレクタの傾斜面を示す第２の実施例である。
【０１９０】
図１５は、図１１と類似の構造を有するが、第２のリフレクタ３００の第３の領域に隣接した第４の領域が追加される点で異なる。
【０１９１】
図１５に示すように、第２のリフレクタ３００は、第３の領域に隣接する中央領域に第４の領域が形成される構造としてもよい。
【０１９２】
ここで、第４の領域は、第１のリフレクタ１００と平行な平面でもよく、第３の曲率を有する曲面でもよい。
【０１９３】
第２のリフレクタ３００の中央領域に位置している第４の領域が鋭い形状を有すると、光が集中してホットスポット（ｈｏｔｓｐｏｔ）現象が現れることがあるため、第４の領域を緩やかな形状にすることによって、均一な輝度を提供することができる。
【０１９４】
図１６Ａ乃至図１６Ｃは、図１５における第４の領域を示す図である。
【０１９５】
図１６Ａに示すように、第２のリフレクタ３００の第４の領域は、第１のリフレクタと平行な平面でもよい。
【０１９６】
そして、図１６Ｂに示すように、第２のリフレクタ３００の第４の領域は、第３の曲率Ｒ３を有する凹んだ曲面でもよく、図１６Ｃに示すように、第２のリフレクタ３００の第４の領域は、第３の曲率Ｒ３を有する膨らんだ曲面でもよい。
【０１９７】
このように第４の領域を突出領域のない緩やかな形状にすると、ホットスポット現象を減らし、均一な輝度を提供することができる。
【０１９８】
このように配置される光源モジュール１００と第１、第２のリフレクタ２００，３００をカバーフレームで支持することができる。
【０１９９】
図１７Ａ乃至図１７Ｄは、傾斜面を有する第１のリフレクタを示す図である。図１７Ａは、傾斜面が平面である場合であり、図１７Ｂ、図１７Ｃ及び図１７Ｄは、傾斜面が曲面である場合である。
【０２００】
図１７Ａ乃至図１７Ｄに示すように、第２のリフレクタ３００に面する第１のリフレクタ２００の一側の表面は、第１のリフレクタ２００の他側の表面に対して一定の角度で傾斜している傾斜面とすることができる。
【０２０１】
ここで、傾斜面の傾斜角度θは、第１のリフレクタ２００の他側の表面に対して平行な水平面に対して１〜８５°の角度とすることができる。
【０２０２】
そのため、第１のリフレクタ２００の厚さは、光源モジュール１００から遠ざかるにつれて順次減少することもあり、順次増加することもある。
【０２０３】
すなわち、第１のリフレクタ２００は、光源モジュール１００に隣接している領域の厚さｔ１と光源モジュール１００から遠い領域の厚さｔ２とが異なっていてもよい。例えば、図１７Ａ及び図１７Ｂに示すように、光源モジュール１００に隣接している領域の厚さｔ１を、光源モジュール１００から遠い領域の厚さｔ２よりも大きくすることができる。
【０２０４】
場合によっては、図１７Ｃ及び図１７Ｄに示すように、光源モジュール１００に隣接している領域の厚さｔ１を、光源モジュール１００から遠い領域の厚さｔ２よりも小さくしてもよい。
【０２０５】
また、図１７Ｄに示すように、第１のリフレクタ２００が傾斜面及び平面の両方を有するようにしてもよい。
【０２０６】
すなわち、第１のリフレクタ２００において、光源モジュール１００に隣接している領域は傾斜面を有し、光源モジュール１００から遠い領域は平面を有する構造にすることができる。
【０２０７】
ここで、傾斜面の長さＬ１と平面の長さＬ２とは同一であってもよく、場合によって異なってもよい。
【０２０８】
なお、第１のリフレクタ２００の表面には所定の反射パターンが形成されてもよい。
【０２０９】
図１８Ａ乃至図１８Ｄは、反射パターンを有する第１のリフレクタを示す図である。
【０２１０】
図１８Ａは、反射パターン２２０が鋸歯状に形成され、且つ反射パターン２２０の表面は平面である例を示し、図１８Ｂ及び図１８Ｃは、反射パターン２２０が鋸歯状に形成され、且つ反射パターン２２０の表面は曲面である例を示している。
【０２１１】
図１８Ｂでは、反射パターン２２０の表面が凹んだ曲面となっており、図１８Ｃでは反射パターン２２０の表面が膨らんだ曲面となっている。
【０２１２】
場合によって、図１８Ｄに示すように、反射パターン２２０の大きさが、第１のリフレクタ２００の基端からオープン領域へと順次大きくなってもよい。
【０２１３】
このように第１のリフレクタ２００上に反射パターン２２０を形成すると、光の反射率を高める他、光を均一に拡散させる効果も得ることができる。
【０２１４】
したがって、このような反射パターン２２０は、照明の全体の輝度分布に応じて、該当の領域に様々な大きさで形成すればよい。
【０２１５】
図１９は、光学部材が配置された照明ユニットを示す断面図であり、図２０は、図１９の光学部材を示す断面図である。
【０２１６】
図１９に示すように、第２のリフレクタ３００から一定の空間を置いて光学部材６００を配置することができる。
【０２１７】
そして、第２のリフレクタ３００と光学部材６００との間の空間にはエアーガイドを形成することができる。
【０２１８】
ここで、光学部材６００は、図２１に示すように、上面に凹凸パターン６２０を有することができる。
【０２１９】
光学部材６００は、光源モジュール１００から発する光を拡散させる役割を担うもので、拡散効果を増大させるために上面に凹凸パターン６２０を有することができる。
【０２２０】
すなわち、光学部材６００は複数の層で形成され、凹凸パターン６２０を最上層またはいずれか一層の表面に有することができる。
【０２２１】
なお、凹凸パターン６２０は、光源モジュール１００に並んで配置されるストライプ（ｓｔｒｉｐ）状にすることができる。
【０２２２】
ここで、凹凸パターン６２０は光学部材６００の表面に突出部を有し、突出部は、向かい合う第１の面と第２の面とで構成され、第１の面と第２の面間の角は、鈍角または鋭角でよい。
【０２２３】
場合によって、光学部材６００は少なくとも一つのシートで構成してもよく、拡散シート、プリズムシート、輝度強化シートなどを選択的に含むことができる。
【０２２４】
ここで、拡散シートは、光源から発された光を拡散させ、プリズムシートは、拡散された光を発光領域にガイドし、輝度強化シートは輝度を強化させる。
【０２２５】
また、第２のリフレクタ３００は、金属または金属酸化物の少なくとも一つを含んで構成され、例えば、アルミニウム（Ａｌ）、銀（Ａｇ）、金（Ａｕ）または二酸化チタン（ＴｉＯ２）のような高反射率を有する金属または金属酸化物を含むことができる。
【０２２６】
また、第２のリフレクタ３００は、反射コーティングフィルム及び反射コーティング物質層のいずれか一方で形成されるものでよく、光源モジュール１００から生成された光を、光学部材６００の方向に反射させる役割を果たすことができる。
【０２２７】
第２のリフレクタ３００は、光学部材６００に面する表面上に鋸歯状の反射パターンを有することができ、反射パターンの表面は、平面または曲面でよい。
【０２２８】
このように第２のリフレクタ３００の表面に反射パターンを形成すると、光源モジュール１００から生成された光を均一に拡散及び反射させることができる。
【０２２９】
このように、実施例は、導光板を使用せず、一部の傾斜面を有するエアーガイド用のリフレクタ及び溝を形成することによって、軽量、低作製コスト、及び均一な輝度を提供することができる。
【０２３０】
したがって、照明ユニットの経済性及び信頼性が向上するとともに、広い室内空間に適合する。
【０２３１】
また、以上の実施例に記載された溝、第１及び第２のリフレクタ、光源モジュールを有するバックライトユニット、表示装置、指示装置、照明システムを具現することができ、例えば、照明システムとしてはランプ、街灯を含むことができる。
【０２３２】
図２１は、実施例に係る照明ユニットを有するディスプレイモジュールを示す図である。
【０２３３】
図２１に示すように、ディスプレイモジュール２０は、ディスプレイパネル８００及び照明ユニット７００を備えることができる。
【０２３４】
ディスプレイパネル８００は、均一なセルギャップが維持されるように互いに相対して貼り合わせられたカラーフィルタ基板８１０とＴＦＴ（Ｔｈｉｎ  Ｆｉｌｍ  Ｔｒａｎｓｉｓｔｏｒ）基板８２０とを有し、両基板８１０，８２０の間に液晶層（図示せず）が挟まる構成とすることができる。
【０２３５】
なお、ディスプレイパネル８００の上側及び下側にはそれぞれ、上部偏光板８３０及び下部偏光板８４０を配置することができ、具体的には、カラーフィルタ基板８１０の上面に上部偏光板８３０を配置し、ＴＦＴ基板８２０の下面に下部偏光板８４０を配置することができる。
【０２３６】
図示してはいないが、ディスプレイパネル８００の側面には、パネル８００を駆動するための駆動信号を生成するゲート及びデータ駆動部を設けることができる。
【０２３７】
図２２及び図２３は、実施例に係るディスプレイ装置を示す図である。
【０２３８】
図２２を参照すると、ディスプレイ装置１は、ディスプレイモジュール２０、ディスプレイモジュール２０を取り囲むフロントカバー３０及びバックカバー３５、バックカバー３５に設けられた駆動部５５、及び駆動部５５を覆う駆動部カバー４０で構成することができる。
【０２３９】
フロントカバー３０は、光を透過させる透明な材質の前面パネル（図示せず）を有することができ、前面パネルは、一定の間隔を置いてディスプレイモジュール２０を保護し、ディスプレイモジュール２０から放出する光を透過させて、ディスプレイモジュール２０で表示される映像が外部から見られるようにする。
【０２４０】
バックカバー３５は、フロントカバー３０と結合してディスプレイモジュール２０を保護することができる。
【０２４１】
バックカバー３５の一面には駆動部５５を配置することができる。
【０２４２】
駆動部５５は、駆動制御部５５ａ、メインボード５５ｂ、及び電源ボード５５ｃを有することができる。
【０２４３】
駆動制御部５５ａは、タイミングコントローラでよく、ディスプレイモジュール２０の各ドライバーＩＣの動作タイミングを調節する駆動部であり、メインボード５５ｂは、タイミングコントローラにＶシンク、Ｈシンク及びＲ，Ｇ，Ｂ解像度信号を伝達する駆動部であり、電源ボード５５ｃは、ディスプレイモジュール２０に電源を印加する駆動部である。
【０２４４】
駆動部５５は、バックカバー３５に設けられて駆動部カバー４０で覆われる構造とすることができる。
【０２４５】
バックカバー３５には複数の孔を開けてディスプレイモジュール２０と駆動部５５とが接続されるようにし、ディスプレイ装置１を支持するスタンド６０を備えることができる。
【０２４６】
一方、図２３に示すように、駆動部５５の駆動制御部５５ａはバックカバー３５に配設され、メインボード５５ｂ及び電源ボード５５ｃはスタンド６０に配設される構成にしてもよい。
【０２４７】
ここで、駆動部カバー４０は、バックカバー３５に設けられた駆動部５５のみを覆えばよい。
【０２４８】
実施例では、メインボード５５ｂと電源ボード５５ｃを別体として構成したが、一体の統合ボードにしてもよく、それに限定されない。
【０２４９】
他の実施例は、以上の実施例に記載された溝、第１及び第２のリフレクタ、光源モジュールを有するバックライトユニット、表示装置、指示装置、照明システムとすることができ、例えば、照明システムとしてはランプ、街灯を含むことができる。
【０２５０】
以上では種々の実施例を挙げて本発明を説明してきたが、本発明の精神及び範囲を逸脱しない限度内で、種々の他の変形及び態様が可能であるということは、当該技術の分野における通常の知識を有する当業者にとっては明らかである。特に、本発明の詳細な説明、図面及び添付の請求項の範囲内で構成要素及び／またはその組み合わせの様々な変形及び修正が可能である。これら構成要素及び／またはその組み合わせの様々な変形及び修正に加えて、その他の利用が当業者には明らかである。
【図１】
2013122919.tif 000003
【図２】
2013122919.tif 000004
【図３Ａ】
2013122919.tif 000005
【図３Ｂ】
2013122919.tif 000006
【図４】
2013122919.tif 000007
【図５Ａ】
2013122919.tif 000008
【図５Ｂ】
2013122919.tif 000009
【図６Ａ】
2013122919.tif 000010
【図６Ｂ】
2013122919.tif 000011
【図６Ｃ】
2013122919.tif 000012
【図６Ｄ】
2013122919.tif 000013
【図７】
2013122919.tif 000014
【図８】
2013122919.tif 000015
【図９】
2013122919.tif 000016
【図１０】
2013122919.tif 000017
【図１１】
2013122919.tif 000018
【図１２Ａ】
2013122919.tif 000019
【図１２Ｂ】
2013122919.tif 000020
【図１２Ｃ】
2013122919.tif 000021
【図１３Ａ】
2013122919.tif 000022
【図１３Ｂ】
2013122919.tif 000023
【図１４Ａ】
2013122919.tif 000024
【図１４Ｂ】
2013122919.tif 000025
【図１４Ｃ】
2013122919.tif 000026
【図１４Ｄ】
2013122919.tif 000027
【図１５】
2013122919.tif 000028
【図１６Ａ】
2013122919.tif 000029
【図１６Ｂ】
2013122919.tif 000030
【図１６Ｃ】
2013122919.tif 000031
【図１７Ａ】
2013122919.tif 000032
【図１７Ｂ】
2013122919.tif 000033
【図１７Ｃ】
2013122919.tif 000034
【図１７Ｄ】
2013122919.tif 000035
【図１８Ａ】
2013122919.tif 000036
【図１８Ｂ】
2013122919.tif 000037
【図１８Ｃ】
2013122919.tif 000038
【図１８Ｄ】
2013122919.tif 000039
【図１９】
2013122919.tif 000040
【図２０】
2013122919.tif 000041
【図２１】
2013122919.tif 000042
【図２２】
2013122919.tif 000043
【図２３】
2013122919.tif 000044